(57)【要約】【課題】  基板に設けた各種回路パターンに静電気が侵入するのを防止することができ、且つその薄型化、軽量化、低コスト化を図ることができる基板への静電気侵入防止構造を提供する。【解決手段】上面側に各種回路パターンを設けたフレキシブル基板５０を取付板６０上に載置する。フレキシブル基板５０の上面には静電気侵入防止用の絶縁シート４０を貼り付ける。取付板６０に設けた静電気集電用突起部６１を、フレキシブル基板５０に設けた貫通部５４と絶縁シート４０に設けた貫通部４２とに挿入することで、静電気集電用突起部６１を絶縁シート４０の上面側に露出させる。絶縁シート４０上側から侵入してくる静電気は絶縁シート４０表面に沿って静電気集電用突起部６１に導かれる。【選択図】図４
2005129333.tif 000002
【特許請求の範囲】
【請求項１】
各種回路パターンを設けた基板を取付部材上に載置し、前記取付部材に設けた静電気集電用突起部を前記基板に設けた貫通部内に挿入することで、静電気集電用突起部を基板の上面側に露出させたことを特徴とする基板への静電気侵入防止構造。
【請求項２】
前記各種回路パターンは前記基板の上面側に設けられ、且つこの基板の上面にはこの基板を覆うように静電気侵入防止用の絶縁シートを貼り付け、さらにこの絶縁シートにも前記取付部材に設けた静電気集電用突起部を露出する貫通部を設けたことを特徴とする請求項１に記載の基板への静電気侵入防止構造。
【請求項３】
前記基板は反転板を取り付けることでスイッチを構成してなるフレキシブル基板であり、
且つ前記静電気集電用突起部及び前記基板と絶縁シートに設けられる貫通部は、前記スイッチの周囲に配置されていることを特徴とする請求項２に記載の基板への静電気侵入防止構造。
【発明の詳細な説明】
【技術分野】
【０００１】
本発明は、基板に設けた各種回路パターンに静電気が侵入するのを防止する基板への静電気侵入防止構造に関するものである。
【背景技術】
【０００２】
従来、その表面にスイッチパターン等の各種回路パターンを設けてなるフレキシブル基板が、各種電気機器に使用されている。そしてこの種のフレキシブル基板の中には、その表面の各種回路パターンに静電気が侵入するのを防止する静電気侵入防止構造を具備するものがある。
【０００３】
従来、基板への静電気侵入防止構造としては、フレキシブル基板を構成するフイルム全体にシールド用のアルミ箔を貼り付ける方法が提案されている（特許文献１参照）。またこのフレキシブル基板を収納する外装ケースの内面にシールド用のアルミ箔を貼り付ける方法もある。
【０００４】
ところで上記静電気侵入防止構造は、その表面にスイッチを形成してなるフレキシブル基板に用いて特に好適である。何故ならこの種のフレキシブル基板は、各種電子機器の表面近くに設置され、静電気を帯びた人の指によって操作されるので、静電気が侵入し易く、ノイズとして各種電気機器に誤動作を生じさせる恐れがあるからである。
【０００５】
しかしながら上記フレキシブル基板の上面や外装ケースの内面にアルミ箔を貼り付ける方法の場合、アルミ箔及び接着剤の層の厚み分（約５０μｍ）だけ、その厚みが厚くなってしまい、その薄型化が阻害されるという問題があった。またアルミ箔をフレキシブル基板や外装ケースに貼り付ける作業が必要となるので、アルミ箔の材料費と合わせてコストアップになるという問題もあった。さらにフレキシブル基板にアルミ箔を貼り付けた場合は、フレキシブル基板に設けたスイッチを操作する際にアルミ箔によってスイッチの操作感覚が重くなってしまうという問題もあった。
【特許文献１】実開平２−１４１９３１号公報
【発明の開示】
【発明が解決しようとする課題】
【０００６】
本発明は上述の点に鑑みてなされたものでありその目的は、基板に設けた各種回路パターンに静電気が侵入するのを防止することができ、且つその薄型化、軽量化、低コスト化を図ることができる基板への静電気侵入防止構造を提供することにある。
【課題を解決するための手段】
【０００７】
本願の請求項１に記載の発明は、各種回路パターンを設けた基板を取付部材上に載置し、前記取付部材に設けた静電気集電用突起部を前記基板に設けた貫通部内に挿入することで、静電気集電用突起部を基板の上面側に露出させたことを特徴とする基板への静電気侵入防止構造にある。
【０００８】
本願の請求項２に記載の発明は、前記各種回路パターンは前記基板の上面側に設けられ、且つこの基板の上面にはこの基板を覆うように静電気侵入防止用の絶縁シートを貼り付け、さらにこの絶縁シートにも前記取付部材に設けた静電気集電用突起部を露出する貫通部を設けたことを特徴とする請求項１に記載の基板への静電気侵入防止構造にある。
【０００９】
本願の請求項３に記載の発明は、前記基板は反転板を取り付けることでスイッチを構成してなるフレキシブル基板であり、且つ前記静電気集電用突起部及び前記基板と絶縁シートに設けられる貫通部は、前記スイッチの周囲に配置されていることを特徴とする請求項２に記載の基板への静電気侵入防止構造にある。
【発明の効果】
【００１０】
本願の請求項１に記載の発明によれば、取付部材に設けた静電気集電用突起部を基板に設けた貫通部内に挿入して基板の上面側に露出させたので、基板の上面側から侵入してくる静電気が静電気集電用突起部に導かれ、取付部材に落される。従って基板上の各種回路パターンへ静電気が侵入することを防ぐことができる。また、基板にアルミ箔を貼り付ける従来の静電気防止構造に比べて、アルミ箔及びその接着層が不用になる分、軽量化、薄型化が図れ、またアルミ箔及びその貼り付け工程が不要になって低コスト化が図れる。
【００１１】
本願の請求項２に記載の発明によれば、基板の上面側に設けた各種回路パターンの上を覆うように静電気侵入防止用の絶縁シートを貼り付けたので、絶縁シートの上方から侵入してきた静電気は直接基板表面に侵入することを絶縁シートによって妨害され、絶縁シート上に沿ってより侵入し易い静電気集電用突起部に導かれ、取付部材に落とすことができる。即ち絶縁シートは基板の上面側に静電気の侵入を防止したい各種回路パターンが形成されている場合に取り付ければ良く、基板の裏面側（取付部材側）に静電気の侵入を防止したい各種回路パターンが形成されている場合は基板自体が絶縁シートの役目を果たすので、必ずしも必要ない（もちろんその場合も絶縁シートを貼り付けても良い）。この発明の場合、絶縁シートを貼り付ける分、その厚みが増大するが、この静電気侵入防止構造は静電気集電用突起部を設けることで、本来静電気の基板への侵入を効果的に防止しているので、絶縁シートの厚みを厚くする必要はなく、従来のアルミ箔の場合に比べてその厚みを薄くすることができる。
【００１２】
本願の請求項３に記載の発明によれば、静電気集電用突起部をスイッチの周囲に配置したので、スイッチへの静電気の侵入を効果的に防止することができる。スイッチの部分には直接又は間接に静電気を帯びた指等から静電気が侵入し易いので、本発明を適用して特に効果的である。
【発明を実施するための最良の形態】
【００１３】
以下、本発明の実施の形態を図面に基づいて詳細に説明する。
図１は本発明の第一の実施の形態にかかる基板への静電気侵入防止構造を用いて構成した押圧型スイッチ板１の分解斜視図である。同図に示すようにこの押圧型スイッチ板１は、取付部材（以下この実施の形態では「取付板」という）６０の上に、スイッチ５１を設けた基板（以下この実施の形態では「フレキシブル基板」という）５０と、絶縁シート４０と、連結部材３０と、操作つまみ２０，２５と、ケース１０と、銘板１００とを取り付けて構成されている。以下各構成部品について説明する。
【００１４】
銘板１００は絶縁性の合成樹脂フイルム（例えばポリカーボネートフイルム）製のシートの内部の所定位置にそれぞれ円形の開口１０１，１０３，１０３を設けて構成されている。銘板１００の表面には図示はしないが所望の加飾印刷が施されている。
【００１５】
図２はケース１０と操作つまみ２０，２５と連結部材３０をその下面側から見た分解斜視図である。図１及び図２に示すように、ケース１０は合成樹脂（例えばＡＢＳ樹脂）を平板状に成形して構成され、その内部に開口１２を設けている。ケース１０の下面の外周には、６つの突起状の固定部１１が設けられ、また、ケース１０の下面の開口１２の周囲には等間隔に４つの突起状の固定部１３が設けられている。さらにケース１０には、ケース１０を切り抜いて形成され、その一部が接続部１４ａとしてケース１０に接続された押圧片１４が２つ設けられている。そして押圧片１４の下面から柱状の押圧部１５が突出している。
【００１６】
操作つまみ２０は、合成樹脂（例えばＡＢＳ樹脂）製でその外形が前記開口１２に収まる形状であり、上面に操作の種類等を表示した指示部２３を４つ設け、下面の指示部２３に対向する位置に柱状の押圧部２２を突出させている。また操作つまみ２０の下面には、連結部材３０に固定される固定部２１が設けられ、中央には操作つまみ２５が収まる開口２４が設けられている。一方操作つまみ２５は合成樹脂（例えばＡＢＳ樹脂）製で、その上面に指示部２８が設けられると共に、下面中央から柱状の押圧部２６を突出させている。さらに操作つまみ２５の下面には連結部材３０に固定される固定部２７が４つ設けられている。
【００１７】
連結部材３０は可撓性のある合成樹脂フイルム（例えばポリエチレンテレフタレートフイルム、以下「ＰＥＴフイルム」という）で形成され、中心部から十字方向に突出するように形成された四本のアーム部３０ａの各先端部に、前記ケース１０の固定部１３が貫通する孔３１を設け、孔３１よりも内側に操作つまみ２０の固定部２１が貫通する孔３５を設け、さらにその内側に操作つまみ２５の固定部２７が貫通する孔３４を設けている。また、連結部材３０の中心部には操作つまみ２５の押圧部２６が貫通する孔３３を設けている。また隣り合うアーム部３０ａ同士を連結している連結部３０ｂの途中には、押圧部２２が貫通する孔３２が設けられている。
【００１８】
絶縁シート４０は、可撓性を有する絶縁性の合成樹脂製のフィルム（例えばＰＥＴフィルム）を下記するフレキシブル基板５０と略同一の外形にカットしたものであり、フレキシブル基板５０の上面を略覆う形状に形成されている。また、その裏面には接着層４３が設けられている。また前記ケース１０の各固定部１１に対向する位置には貫通孔４１が設けられている。さらに下記するフレキシブル基板５０に設けた各貫通部５４に対向する位置には貫通孔からなる貫通部４２が設けられている。
【００１９】
次にフレキシブル基板５０は、可撓性のある絶縁性の合成樹脂製のフィルム（例えばＰＥＴフイルム）をケース１０の外形形状と略同一の外形形状にカットしたものの上に回路パターン（図示せず）を形成して構成されている。そして前記ケース１０下面の各押圧部１５及び操作つまみ２０，２５の各押圧部２２，２６に対向する位置に、スイッチ５１を設けている。スイッチ５１は、図４（スイッチ５１部分の断面を示している）に示すように、フレキシブル基板５０のスイッチ５１の中央に形成したスイッチパターン５５及びスイッチパターン５５の周囲にリング状に形成したスイッチパターン５６（何れも回路パターンの一部を構成している）と、フレキシブル基板５０上に載置されその外周が前記スイッチパターン５６に接続するドーム形状の弾性金属板からなる反転板（以下この実施の形態において「可動接点板」という）５２とによって構成されている。図１に戻って、フレキシブル基板５０の前記ケース１０の固定部１１に対向する位置にはそれぞれ貫通孔５３が設けられている。さらにフレキシブル基板５０の各スイッチ５１の周囲には、貫通孔からなる貫通部５４が設けられている。
【００２０】
取付板６０は、ステンレス等の金属製の硬質平板を、ケース１０と略同一の外形形状に形成し、且つその上面の前記各貫通部５４に対向する位置に、取付板６０を上方向に隆起させてなる静電気集電用突起部６１を設けて構成されている。静電気集電用突起部６１の高さはこの実施の形態においては、絶縁シート４０とフレキシブル基板５０とを取付板６０上に積層して取り付けた際に、静電気集電用突起部６１の先端部が絶縁シート４０の上面とほぼ同じ高さになるか、貫通孔４２から僅かに突出する高さとしている。さらに取付板６０には、前記ケース１０の各固定部１１に対向する位置に貫通孔６２を設けている。
【００２１】
この押圧型スイッチ板１を組み立てるには、まず操作つまみ２０の固定部２１と操作つまみ２５の固定部２７とをそれぞれ連結部材３０の孔３５，３４に挿通し、その先端を熱カシメすることで、これらを一体に固定する。次にケース１０の固定部１３を連結部材３０の孔３１に挿通してその先端を熱カシメして固定することで両操作つまみ２０，２５をケース１０に連結して固定する。
【００２２】
一方フレキシブル基板５０の上面（スイッチ５１を設けた側の面）を覆うように、絶縁シート４０をその裏面の接着層４３によって密着させて貼り付ける。このときフレキシブル基板５０の貫通孔５３及び貫通部５４と、絶縁シート４０の貫通孔４１及び貫通部４２とがそれぞれ対向するように位置を合わせて貼り付ける。
【００２３】
そして操作つまみ２０，２５を取り付けた前記ケース１０の下側に前記絶縁シート４０を貼り付けたフレキシブル基板５０を配置し、その際ケース１０の固定部１１を、絶縁シート４０の貫通孔４１とフレキシブル基板５０の貫通孔５３に挿通する。そしてフレキシブル基板５０の下側に取付板６０を配置し、その際ケース１０の固定部１１を取付板６０の貫通孔６２に挿通する。このとき同時に、取付板６０に設けた各静電気集電用突起部６１がフレキシブル基板５０の各貫通部５４と絶縁シート４０の各貫通部４１とに挿入される。そしてこの状態のまま固定部１１の先端部を熱カシメすることでケース１０と絶縁シート４０とフレキシブル基板５０と取付板６０とを一体に固定する。そして前記ケース１０の上面に銘板１００を貼り付ければ、押圧型スイッチ板１が完成する。
【００２４】
図３は以上のようにして組み立てられた押圧型スイッチ板１の斜視図、図４はこの押圧型スイッチ板１の要部概略断面図（図３のＡ−Ａ部分の概略断面図）である。図４に示すようにこの押圧型スイッチ板１は、スイッチ５１の中央真上に操作つまみ２５の押圧部２６が位置している。また、取付板６０の静電気集電用突起部６１は、フレキシブル基板５０に設けた貫通部５４と絶縁シート４０に設けた貫通部４２を貫通して、その先端が絶縁シート４０の上面側に露出している。なお取付板６０はその何れかの部分でアースされている。
【００２５】
そして例えば図３に示す操作つまみ２０の何れかの指示部２３の部分を押圧すれば、図１，図２に示す連結部材３０が撓むことで操作つまみ２０の押圧した部分が下降し、その真下の押圧部２２がこれに対向する可動接点板５２を押圧して反転させスイッチ５１をオンする。操作つまみ２０への押圧を解除すれば可動接点板５２の弾性復帰力によって操作つまみ２０は元の位置に自動復帰しスイッチ５１はオフする。操作つまみ２５の指示部２８を押圧したときも同様に、その真下の押圧部２６がこれに対向する可動接点板５２を押圧することで、スイッチ５１がオンする。また、ケース１０と一体に形成された押圧片１４を押圧したときも、接続部１４ａが撓むことで押圧片１４が下降し、その真下の押圧部１５が対向する可動接点板５２を押圧してスイッチ５１をオンする。
【００２６】
一方押圧型スイッチ板１を操作等している際に、操作している人の指等を通して押圧型スイッチ板１の表面側から内部に静電気が入り込み、スイッチパターン５５，５６やその他の回路パターンに入射しようとする場合がある。ところがこの押圧型スイッチ板１において、例えば外部からスイッチ５１に向けて入射してくる静電気はその入射を絶縁シート４０によって遮られ、同時にスイッチ５１の近傍に設置され且つ絶縁シート４０上に露出してアースされている静電気集電用突起部６１があるので、結局前記静電気は絶縁シート４０の上面を伝って最も近くにある静電気集電用突起部６１の先端へ入射し、アースされる。このようにこの押圧形スイッチ板１においては、絶縁シート４０によってスイッチパターン等の各種回路パターンに直接静電気が侵入するのを困難とし、同時にその近くに静電気が侵入し易い静電気集電用突起部６１を設けたので、静電気の通過経路が形成され、フレキシブル基板５０上の各種回路パターンに静電気が侵入して電気回路が誤動作等を起こすことを防ぐことができる。
【００２７】
ところでこの押圧型スイッチ板１に用いた静電気侵入防止構造の場合、前記従来のフレキシブル基板にアルミ箔を貼り付ける構造の静電気侵入防止構造と比較して、アルミ箔に代えてフレキシブル基板５０に絶縁シート４０を貼り付けるだけなので、その厚みを薄くすることができ、静電気侵入防止構造の薄型化が図れる。その分押圧型スイッチ板１全体の厚みの薄型化が図れる。特に本実施の形態は、静電気集電用突起部６１を絶縁シート４０表面に露出させることで、絶縁シート４０の表面に沿って静電気集電用突起部６１に至る静電気の通り道を作っているので、静電気集電用突起部６１を設けない場合に比べて絶縁シート４０の厚みをかなり薄くしてもこれを通って静電気が侵入する恐れはない。この点からも絶縁シート４０の厚みを薄くでき、静電気侵入防止構造の薄型化が図れる。さらに、絶縁シート４０はアルミ箔等の金属層よりも軽量で容易に撓むので、絶縁シート４０をフレキシブル基板５０上に貼り付けたとしてもフレキシブル基板５０に設けたスイッチ等の電気的動作部の操作時の動きが悪くなったり、重くなったりすることはなく、また絶縁シート４０はアルミ箔よりも安価で、アルミ箔をフレキシブル基板に貼り付ける作業に比べて絶縁シート４０を貼り付ける作業の方が容易なので、低コスト化を図ることができる。
【００２８】
図５は本発明の第二の実施の形態を用いて構成した押圧型スイッチ板１−２の要部概略断面図（図３のＡ−Ａ部分に相当する要部概略断面図）である。この押圧型スイッチ板１−２において前記押圧形スイッチ板１と共通する部分には同じ符号を付し、その詳細な説明は省略する。この押圧型スイッチ板１−２において前記押圧型スイッチ板１と相違する点は、フレキシブル基板７０として二枚の合成樹脂製のフイルム７１，７２を重ね合わせたメンブレンスイッチを用いた点と、絶縁シート４０を省略した点である。
【００２９】
即ちこの実施の形態においては、それぞれ絶縁性の合成樹脂製のフイルム（例えばＰＥＴフイルム）７１，７２の表面にスイッチパターン７５，７６を形成するとともに、前記スイッチパターン７５，７６を囲む位置にその厚さがスイッチパターン７５，７６よりも厚い絶縁塗料製のスペーサ層７３，７４を形成し、これら２枚のフイルム７１，７２を、両スイッチパターン７５，７６が所定の隙間を持って対向するスイッチ７７となるように重ね合わせてフレキシブル基板（メンブレンスイッチ）７０を構成している。さらにフイルム７１のスイッチパターン７５を設けた部分の裏面側（上面側）には、押圧することで反転するドーム形状の弾性金属板からなる反転板（以下この実施の形態では「クリック板」という）８０が載置されている。なおフイルム７１，７２に設ける他の各種回路パターンも両者の対向面側に設けられている。そして、フレキシブル基板７０を構成する両フイルム７１，７２には前記フレキシブル基板５０と同様に、静電気集電用突起部６１を挿入する貫通孔からなる貫通部７８が設けられ、この静電気集電用突起部６１が貫通部７８内に挿入されることで、静電気集電用突起部６１の先端が上側のフイルム７１の表面から露出している。なお静電気集電用突起部６１は前記実施の形態と同じ場所、即ちスイッチ７７の周囲に配置されている。
【００３０】
そして操作つまみ２５の指示部２８の部分を押圧すれば、その真下の押圧部２６がこれに対向するクリック板８０を押圧して反転する。これにより、クリック板８０がスイッチ７７を押圧してスイッチパターン７５，７６間を当接しオンする。操作つまみ２５への押圧を解除すれば操作つまみ２５は元の位置に自動復帰しスイッチ７７はオフする。図示しない他の操作つまみ２０や押圧片１４を押圧した場合も同様に、フレキシブル基板７０のこれらに対向する位置に設けたスイッチ７７がオンする。
【００３１】
一方押圧型スイッチ板１−２を操作等している際に、操作している人の指等を通して押圧型スイッチ板１−２の表面側から内部に静電気が入り込み、スイッチパターン７５，７６やその他の回路パターンに入射しようとする場合がある。ところがこの押圧型スイッチ板１−２において、例えば外部からスイッチパターン７５，７６に向けて入射してくる静電気はその入射を上側のフイルム７１を構成する絶縁シート自体によって遮られ、同時にスイッチパターン７５，７６の近傍に設置され且つフイルム７１の表面から露出してアースされている静電気集電用突起部６１があるので、結局前記静電気はフイルム７１の上面を伝って最も近くにある静電気集電用突起部６１の先端へ入射し、アースされる。このようにこの押圧形スイッチ板１−２においては、上側のフイルム７１自体によってスイッチパターン等の各種回路パターンに直接静電気が侵入するのを困難とし、同時にその近くに静電気が侵入し易い静電気集電用突起部６１を設けたので、静電気の通過経路が形成され、フイルム７１，７２上の各種回路パターンに静電気が侵入して電気回路が誤動作等を起こすことを防ぐことができる。
【００３２】
この押圧型スイッチ板１−２に用いた静電気侵入防止構造の場合、フイルム７１，７２を二枚重ねるが、その代わりに前記実施の形態で用いた絶縁シート４０を不要にすることができるので、前記実施の形態と同様にその厚みの薄型化が図れる。また従来のようにアルミ箔を貼り付けないので、スイッチ７７等の電気的動作部の操作時の動きが悪くなったり、重くなったりすることはなく、また低コスト化を図ることもできる。
【００３３】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記各実施の形態では静電気集電用突起部６１をスイッチ５１，７７の周囲に配置した（これによってスイッチ５１，７７への静電気の侵入を効果的に防止できる）が、静電気集電用突起部６１を設ける位置は、取付板６０上面の他の位置であってもよく、また静電気集電用突起部６１を設ける数も任意の数でよい。
【００３４】
また上記各実施の形態ではフレキシブル基板５０，７０や絶縁シート４０に貫通孔からなる貫通部５４，７８，４２を設けたが、貫通部５４，７８，４２はフレキシブル基板５０，７０や絶縁シート４０の外周辺から切り欠かれた貫通溝によって構成しても良い。また上記各実施の形態ではフレキシブル基板を用いたが、その代わりに硬質基板等の他の基板を用いて構成しても良い。
【００３５】
また上記各実施の形態では取付部材６０を板状の取付板で構成したが、板状以外の形状・構造の取付部材であっても良い。また上記実施の形態では取付部材６０を金属（導電材料）で構成することで導電性を持たせているが、合成樹脂等の絶縁部材の表面に導電層等を形成することで導電性を持たせる等することでもよい。要は導電性を有する部材で取付部材を構成すれば良い。
【図面の簡単な説明】
【００３６】
【図１】本発明の第一の実施の形態を用いて構成した押圧型スイッチ板１の分解斜視図である。
【図２】ケース１０と操作つまみ２０，２５と連結部材３０とをその下面側から見た斜視図である。
【図３】押圧型スイッチ板１の斜視図である。
【図４】押圧型スイッチ板１の要部概略断面図（図３のＡ−Ａ線部分の概略断面図）である。
【図５】本発明の第二の実施形態を用いて構成した押圧型スイッチ板１−２の要部概略断面図である。
【符号の説明】
【００３７】
１          押圧型スイッチ
１０        ケース
２０        操作つまみ
２５        操作つまみ
３０        連結部材
４０        絶縁シート
４１        貫通孔
４２        貫通部
５０        フレキシブル基板（スイッチ基板）
５１        スイッチ
５２        可動接点板（反転板）
５３        貫通孔
５４        貫通部
５５，５６  スイッチパターン
６０        取付板
６１        静電気集電用突起部
６２        貫通孔
７０        フレキシブル基板（メンブレンスイッチ）
７１，７２  フイルム
７３，７４  スペーサ層
７５，７６  スイッチパターン
７７        スイッチ
７８        貫通部
８０        クリック板（反転板）
【図１】
2005129333.tif 000003
【図２】
2005129333.tif 000004
【図３】
2005129333.tif 000005
【図４】
2005129333.tif 000006
【図５】
2005129333.tif 000007